(57)【要約】【課題】表示映像切替操作時から表示映像の切替までの遅延を短くし定常表示時の表示映像の面フリッカを低減する。【解決手段】飛び越し走査映像信号を双方向に伝送するシステムにおいて、主送信側と主受信側との双方に同期手段とを有し、主送信側に映像を順次走査表示する少なくとも垂直方向に分割されたバックライト付き液晶表示部を有し各フィールドに２回バックライトを点灯し、通常表示時は主送信側映像を順次走査表示して、表示映像切替操作時は、切替操作時後のバックライト輝度を高くしてかつ点灯時間を短くし、切替操作時後の各フィールド単位で液晶表示映像を切替え、表示映像切替後のフィールド映像と該フィールド映像の上下走査線補間または上の走査線複写で順次走査で切替表示し、表示切替した水平走査線部分のバックライトを次の順次走査前までに２回点灯する。【選択図】図１
2011203628.tif 000002
【特許請求の範囲】
【請求項１】
飛び越し走査映像信号を主送信側と主受信側の双方向に映像信号を伝送する映像信号伝送システムにおける前記主送信側の映像信号表示装置の映像信号表示方法において、
定常表示時には、前記主送信側のカメラヘッドが撮像したＣＡＭ映像、または前記主受信側から前記カメラヘッドに戻すＲＥＴ映像のいずれかを等速順次走査表示し、表示映像切替操作時は、前記切替操作後のバックライトの輝度を高くしてかつ点灯時間を短くし、前記切替操作時後の１または複数の水平走査線単位で液晶表示映像を切り替えることを特徴とする映像信号伝送方法。
【請求項２】
飛び越し走査映像信号を主送信側と主受信側の双方向に映像信号を伝送する映像信号伝送システムにおける映像信号表示装置において、
前記主送信側のカメラヘッドが撮像したＣＡＭ映像をＬ倍速化する第１のＬ倍速化部と、前記主受信側から伝送されたＲＥＴ映像をＬ倍速化する第２のＬ倍速化部と、信号切替部と映像表示部を制御する切替制御部と、前記切替制御部の制御に基づいて前記Ｌ倍速化されたＣＡＭ映像と前記Ｌ倍速化されたＲＥＴ映像のいずれかを切替え出力する前記信号切替部とを備えた映像切替部、および、
前記切替制御部の制御に基づいて表示部のバックライト部を１または複数の水平走査線の出力映像ごとに点灯及び消灯するバックライト駆動部を含み、前記映像切替部から出力された前記ＣＡＭ映像または前記ＲＥＴ映像のいずれかの映像を表示する表示駆動部と、前記１または複数の前記水平走査線の出力映像ごとに点灯及び消灯する前記バックライトを含み、前記表示駆動部から入力された映像を表示する表示部を備えた前記映像表示部、を有し、
前記主送信側からの制御によって、前記ＣＡＭ映像から前記ＲＥＴ映像に前記映像表示部の表示を切替える場合、または、前記ＣＡＭ映像から前記ＲＥＴ映像に前記映像表示部の表示を切替える場合には、切替操作が検知された時に、前記１または複数の前記水平走査線の出力映像ごとに、通常時の前記バックライトの輝度および点灯時間に対して、輝度を高くしかつ点灯時間を短くして前記バックライトを点灯することを特徴とする映像信号表示装置。
【請求項３】
飛び越し走査映像信号を主送信側と主受信側の双方向に映像信号を伝送する映像信号伝送システムにおいて、
さらに、映像切替部と映像表示部とを有し、
前記主送信側は、カメラヘッドと、前記カメラヘッドが撮像した映像信号を処理しＣＡＭ映像として前記主受信側及び映像切替部に出力し、第１の多重部から入力されたＲＥＴ映像を前記映像切替部に出力する第１の映像処理部と、第１の伝送路を介して、前記ＣＡＭ映像を前記主受信側に伝送し、ＲＥＴ映像を前記主受信側から受信し前記映像処理部に出力する前記第１の多重部と、入力切替操作に基づいて前記映像切替部に映像切替制御信号を出力するＣＰＵと、を備え、
前記主受信側は、第２の伝送路を介して、前記ＲＥＴ映像を受信する入力部と、前記受信された前記ＲＥＴ映像を処理する第２の映像処理部と、前記処理された前記ＲＥＴ映像を多重して前記第１の伝送路を介して前記主送信側に伝送する第２の多重部、とを備え、
前記映像切替部は、前記主送信側の前記カメラヘッドが撮像したＣＡＭ映像をＬ倍速化する第１のＬ倍速化部と、前記主受信側から伝送されたＲＥＴ映像をＬ倍速化する第２のＬ倍速化部と、信号切替部と映像表示部を制御する切替制御部と、前記切替制御部の制御に基づいて前記Ｌ倍速化されたＣＡＭ映像と前記Ｌ倍速化されたＲＥＴ映像のいずれかを切替え出力する前記信号切替部、とを備え、
前記映像表示部は、前記切替制御部の制御に基づいて表示部のバックライト部を１または複数の水平走査線の出力映像ごとに点灯及び消灯するバックライト駆動部を含み、前記映像切替部から出力された前記ＣＡＭ映像または前記ＲＥＴ映像のいずれかの映像を表示する表示駆動部と、前記１または複数の前記水平走査線の出力映像ごとに点灯及び消灯する前記バックライトを含み、前記表示駆動部から入力された映像を表示する表示部、とを備え、
前記ＣＰＵから出力された前記映像切替信号によって、前記ＣＡＭ映像から前記ＲＥＴ映像に前記映像表示部の表示を切替える場合、または、前記ＣＡＭ映像から前記ＲＥＴ映像に前記映像表示部の表示を切替える場合には、前記映像切替信号が検知された時に、前記１または複数の前記水平走査線の出力映像ごとに、通常時の前記バックライトの輝度および点灯時間に対して、輝度を高くしかつ点灯時間を短くして前記バックライトを点灯することを特徴とする映像信号伝送システム。
【発明の詳細な説明】
【技術分野】
【０００１】
本発明は、テレビジョンカメラ等の撮像装置に使用する映像表示手段および映像信号多重伝送装置の改良に関するものである。
【背景技術】
【０００２】
従来、テレビジョンカメラシステムでは主送信側の撮像部（カメラヘッド）と主受信側の制御部（カメラコントロールユニット：ＣＣＵ）の間で主映像信号、副映像信号、音声信号、コントロール用シリアルデータ信号、および電源の伝送を３重同軸（トライアックス）ケーブル１本の伝送路で行なっている。副映像信号として、２系統の送り返し外部映像信号（ Return Video と Prompt Video ）を有しているものもあり、送り返し映像信号１系統と、撮像部から制御部への補助映像信号（ Trunk Video ）を１系統有するものもある。また簡易な方法として、伝送路として、通常の同軸ケーブルも用いることもある。一般的に、これらの信号は、周波数変調され周波数多重伝送するか、デジタルで時分割多重伝送される。また、映像表示手段を再撮像するため等により、撮像部および制御部は、外部映像信号と同期している。
【０００３】
主映像信号の方式としては、ＳＤＴＶ（ Standard Definition Tele-Vision ）として、有効走査線４８５本のＮＴＳＣ（ National Television System Committee ）と有効走査線５７５本のＰＡＬ（ Phase Alternation by Line ）、ＨＤＴＶ（ High Definition Tele-Vision ）として有効走査線７２０本と有効走査線１０８０本、ＳＨＤＴＶ（ Super High Definition Tele-Vision ）として有効走査線２１６０本、ＵＨＤＴＶ（ Ultra High Definition Tele-Vision ）として有効走査線４３２０本があり、以下代表として、ＮＴＳＣとＨＤＴＶで説明する。
【０００４】
ＮＴＳＣの時分割双方向伝送の場合、１０［ｂｉｔ］４：２：２の放送用映像信号２７０［Ｍｂｐｓ］の信号を時間圧縮し、約３６０［Ｍｂｐｓ］の信号にして短い時間にカメラヘッドからカメラ制御装置に伝送する。次の瞬間、カメラ制御装置からカメラヘッドの方向に３６０［Ｍｂｐｓ］に画面内圧縮した上で時間圧縮した送り返しの映像信号を短い時間に伝送する。その処理を１秒間に数回の速度で入出力切換え器により切り替えを行なうことにより時分割双方向伝送を実現している（特許文献１参照）。
【０００５】
通常、トライアックスケーブルの３６０［ＭＨｚ］の減衰量は１［ｋｍ］で１７０［ｄＢ］と大きく、現状の市販のドライバＩＣとイコライザＩＣでは、約５００［ｍ］程度しかカメラヘッドとカメラコントロールユニットの間は延長できない。そこで、長距離伝送やＨＤＴＶでは、多値変調するかあるいは映像信号を画面内圧縮して情報量を削減して周波数帯域と減衰量を減らしていた。従来の画面内圧縮は、ＤＣＴ（ Discrete Cosine Transform ）等の空間符号化とハフマン符号化等の可変長符号化で実現されている。
情報量を削減して周波数帯域と減衰量を減らすために、ＣＣＵからカメラヘッドに戻す映像信号を画面内圧縮（空間）符号化すれば約１７［ｍｓ］の垂直同期（Ｖ）周期の数倍の遅延が生ずる。または、長距離伝送時は多値変調や直交周波数変調しているが、伝送符号化復号化やインターリーブ等で伝送遅延が生じていた。
平面映像表示装置（ＦＰＤ：Flat Panel Display）としては、液晶（ＬＣＤ：Liquid Crystal Display ）表示装置が主流となりつつあり、倍速走査表示により残像を低減し、背面照明（バックライト）を画面分割して点灯して黒表示の浮き上がりを低減し、実効的にコントラストを改善している。また自己発光しより装置が薄くなるＥＬ（ Electro Luminescence ）表示装置も実用化された。
【０００６】
図６によって、従来の、輝度優先、飛び越し走査、および、倍速順次走査表示における、残像低減のための表示切替を説明する。図６は、従来の飛び越し走査映像信号の倍速表示切替液晶と倍速バックライトの動作を説明するための模式図である。図６（ａ）は入力走査線、（ｂ）は表示切替走査線、（ｃ）はバックライトの点灯パルスである。図６（ａ）〜（ｃ）それぞれにおいて、画面の上（画面上）と画面の下（画面下）は１つの水平走査線を示し、Ｎは、フィールド番号を示す（Ｎ：自然数）。また、画面上の水平走査線と画面下の走査線の間の数は、ＳＤＴＶ、ＮＴＳＣ等のＴＶ方式によって異なり、かつすべての水平走査線が表示できないほど数が多いので、省略して描いている。なお、横軸は、図６（ａ）〜（ｃ）において、共通の時間軸である。また、実線の四角は入力切替前の映像データに関し、破線の四角は入力切替後の映像データに関する。
また、図６と後述する図１、図２、図３、図７、図８、および図９において、入力、出力では、水平走査線ごとに同じフィールドでは同じフィールド番号を付している。しかし、映像データの中身としては、動きがあった場合の複写（コピー）を除いて水平走査線ごとに異なる。同様に、奇数フィールドの画面下の水平走査期間は画面中央部で終了し、偶数フィールドの画面上水平走査期間は画面中央部から開始されるが、本明細書では、どちらも、画面右端部で終わるか、若しくは。画面左端部から始まるようにして説明している。
図６に示すように、カメラヘッドからは、ＣＡＭデータまたはＲＥＴデータが、・・・、２Ｎ−１、２Ｎ、２Ｎ＋１、２Ｎ＋２、・・・の順に各フィールドごとに画面上の水平走査線から画面下の水平走査線まで映像切替部に入力される。映像切替部は、２Ｎ−１を奇数フィールドとし、２Ｎを偶数フィールドとした１フレーム分の画像を、２Ｎ＋１番目のフィールドデータを入力の開始と同期して、映像表示部に入力する。同様に、映像切替部は、カメラヘッドから２Ｎ＋２番目のフィールド画像の入力の開始と同期して、２Ｎ＋１を奇数フィールドとし、２Ｎを偶数フィールドとした１フレーム分の画像を映像表示部に入力する。ただし、１水平走査線の１フィールドの画像に動きが有る場合には、その前のフィールドの画像を当該水平走査線のフィールドの画像として表示する。
【０００７】
図６において、映像切替部２１には、ＣＡＭ映像の２Ｎ＋１番目の映像データが水平走査線ごとに入力されている（図６（ａ）左側入力走査線：時刻ｔ６０）。またこの時に、映像切替部２１は、映像表示部３に、その前に入力された２Ｎ−１番目の映像データを奇数フィールドとして、および、２Ｎ番目の映像データを偶数フィールドとして、上から下に順に出力している（図６（ｂ）左側表示切替走査線、時刻ｔ６１）。ただし、２Ｎ−１番目のフィールドと次に表示される２Ｎ番目のフィールドの間に動きが有る場合には、前の２Ｎ番目のフィールドの画像が出力される。
そして、すべての２Ｎ＋１番目の映像データが出力された後に、バックライトが図６（ｃ）のように点灯を開始し（時刻ｔ６１）、時刻ｔ６３で点灯を停止する。
この結果、画面上から奇数フィールドに２Ｎ＋１、偶数フィールド２Ｎが、映像切替部から映像表示部に出力される。ただし、２Ｎ＋１番目のフィールドと次に表示される２Ｎ番目のフィールドの間に動きが有る場合には、前の２Ｎ＋１番目のフィールドの画像が表示される（図６（ｂ）中央部表示切替走査線）。
【０００８】
今、図６において、現在、映像切替部には、ＣＡＭ映像が入力されている。時刻ｔ６０から、画面上から画面下まで、水平ラインごとに順番に、新しいフィールドの２Ｎ＋１番目の映像データの入力が開始される。この時、同時刻ｔ６０に同期して、映像切替部は、映像表示部３に、２Ｎ−１番目の映像データと２Ｎ番目の映像データを２倍速で、画面上から画面下まで、水平ラインごとに交互に入力を開始する。
時刻ｔ６２に入力切替操作が実行され、ＣＡＭ映像からＲＥＴ映像に切替えようとした場合に、すでに実行中の２Ｎ＋１番目のすべての水平走査線のＣＡＭ映像の入力が終了する時刻ｔ６４まで、ＲＥＴ映像の入力は開始されない。また、時刻ｔ６４には、まだ映像切替部からは、ＣＡＭ映像の画像（奇数フィールドに２Ｎ＋１の画像、偶数フィールドに２Ｎの画像）が映像表示部に出力される。従って、ＲＥＴ映像の最初のフレームの映像データの入力は、時刻ｔ６４に開始され、時刻ｔ６７に終了する。その終了するタイミングの時刻ｔ６７で、映像切替部から映像表示部に、ＲＥＴ映像の出力が開始される。なお、映像表示部の表示（表示切替）は、バックライトの点灯開始時刻ｔ６８から開始される。
そして、ＲＥＴ映像の２Ｎ＋２番目の映像データすべての入力が終了した時刻ｔ６７に同期して、ＲＥＴ映像の２Ｎ＋２番目の映像データが、奇数フィールドと偶数フィールド両方に表示されるように、映像切替部２１から映像表示部３に出力される。
なお、図６では、１フィールド分のデータの入力が終了した時（例えば、時刻ｔ６０、ｔ６４、あるいはｔ６７）に、表示切替走査線の出力が開始される（換言すると、映像切替部は、１フィールド分の映像データの入力開始の時刻と同期して、１フレーム分の表示切替走査線の出力が開始される）。また、表示切替走査線の出力が１フレーム分終了した（例えば、時刻ｔ６１、ｔ６５、あるいは時刻ｔ６８）後に、バックライトが点灯する。バックライトの点灯は、次フレームの映像データが入力される時刻前および次のフレームの映像データが出力される時刻（例えば、ｔ６４、あるいはｔ６７）前（例えば、時刻ｔ６３、ｔ６６、あるいはｔ６９）に点灯を停止する。
【先行技術文献】
【特許文献】
【０００９】
【特許文献１】特開平７−２０３３９９号公報
【非特許文献】
【００１０】
【非特許文献１】リニアテクノロジーカタログ  ＬＴＣ３２２０  LT 0409 REV C
【発明の概要】
【発明が解決しようとする課題】
【００１１】
上述した図６のように、同期乱れを起こさないように、表示切替操作後のフィールドの始まりで入力映像を切り替えて、入力映像が１フィールド揃ってから表示を切り替えていた。また、常時バックライトの点灯では倍速表示でも目視残像が残るので、１／２フィールドで表示切替し短時間でバックライトを消灯して目視残像を低減する動作も試みられていた。背面（バックライト）照明を消灯する時間を長くバックライトを点灯する時間を短くすると目視残像が低減するが面フリッカが目立ち、特にフィールド周波数５０Ｈｚでは面フリッカが著しく目立つようになる。
例えば、バックライト照明として、多数のＬＥＤ（ Light Emitting Diode ）を個別の輝度で駆動するため、輝度制御付きの１８個の２０［ｍＡ］ユニバーサル電流源ＩＣも製品化され、バックライト照明を画面分割して輝度制御して点灯するのが容易になった（非特許文献１参照）。
本発明は、これらの欠点を除去し、表示映像切替操作時から表示映像の切替までの遅延を短くすることと定常表示時の表示映像の面フリッカの低減とを両立することを目的とする。
【課題を解決するための手段】
【００１２】
上記の目的を達成するために、本発明の映像信号伝送方法は、飛び越し走査映像信号を主送信側と主受信側の双方向に映像信号を伝送する映像信号伝送システムにおける前記主送信側の映像信号表示装置の映像信号表示方法において、定常表示時には、前記主送信側のカメラヘッドが撮像したＣＡＭ映像、または前記主受信側から前記カメラヘッドに戻すＲＥＴ映像のいずれかを等速順次走査表示し、表示映像切替操作時は、前記切替操作後のバックライトの輝度を高くしてかつ点灯時間を短くし、前記切替操作時後の１または複数の水平走査線単位で液晶表示映像を切り替えるものである。
【００１３】
また、本発明の映像信号表示装置は、飛び越し走査映像信号を主送信側と主受信側の双方向に映像信号を伝送する映像信号伝送システムにおける映像信号表示装置において、前記主送信側のカメラヘッドが撮像したＣＡＭ映像をＬ倍速化する第１のＬ倍速化部と、前記主受信側から伝送されたＲＥＴ映像をＬ倍速化する第２のＬ倍速化部と、信号切替部と映像表示部を制御する切替制御部と、前記切替制御部の制御に基づいて前記Ｌ倍速化されたＣＡＭ映像と前記Ｌ倍速化されたＲＥＴ映像のいずれかを切替え出力する前記信号切替部とを備えた映像切替部、および、前記切替制御部の制御に基づいて表示部のバックライト部を１または複数の水平走査線の出力映像ごとに点灯及び消灯するバックライト駆動部を含み、前記映像切替部から出力された前記ＣＡＭ映像または前記ＲＥＴ映像のいずれかの映像を表示する表示駆動部と、前記１または複数の前記水平走査線の出力映像ごとに点灯及び消灯する前記バックライトを含み、前記表示駆動部から入力された映像を表示する表示部を備えた前記映像表示部、を有し、前記主送信側からの制御によって、前記ＣＡＭ映像から前記ＲＥＴ映像に前記映像表示部の表示を切替える場合、または、前記ＣＡＭ映像から前記ＲＥＴ映像に前記映像表示部の表示を切替える場合には、切替操作が検知された時に、前記１または複数の前記水平走査線の出力映像ごとに、通常時の前記バックライトの輝度および点灯時間に対して、輝度を高くしかつ点灯時間を短くして前記バックライトを点灯するものである。
【００１４】
また、本発明の映像信号伝送システムは、飛び越し走査映像信号を主送信側と主受信側の双方向に映像信号を伝送する映像信号伝送システムにおいて、さらに、映像切替部と映像表示部とを有し、前記主送信側は、カメラヘッドと、前記カメラヘッドが撮像した映像信号を処理しＣＡＭ映像として前記主受信側及び映像切替部に出力し、第１の多重部から入力されたＲＥＴ映像を前記映像切替部に出力する第１の映像処理部と、第１の伝送路を介して、前記ＣＡＭ映像を前記主受信側に伝送し、ＲＥＴ映像を前記主受信側から受信し前記映像処理部に出力する前記第１の多重部と、入力切替操作に基づいて前記映像切替部に映像切替制御信号を出力するＣＰＵと、を備え、
前記主受信側は、第２の伝送路を介して、前記ＲＥＴ映像を受信する入力部と、前記受信された前記ＲＥＴ映像を処理する第２の映像処理部と、前記処理された前記ＲＥＴ映像を多重して前記第１の伝送路を介して前記主送信側に伝送する第２の多重部、とを備え、前記映像切替部は、前記主送信側の前記カメラヘッドが撮像したＣＡＭ映像をＬ倍速化する第１のＬ倍速化部と、前記主受信側から伝送されたＲＥＴ映像をＬ倍速化する第２のＬ倍速化部と、信号切替部と映像表示部を制御する切替制御部と、前記切替制御部の制御に基づいて前記Ｌ倍速化されたＣＡＭ映像と前記Ｌ倍速化されたＲＥＴ映像のいずれかを切替え出力する前記信号切替部、とを備え、前記映像表示部は、前記切替制御部の制御に基づいて表示部のバックライト部を１または複数の水平走査線の出力映像ごとに点灯及び消灯するバックライト駆動部を含み、前記映像切替部から出力された前記ＣＡＭ映像または前記ＲＥＴ映像のいずれかの映像を表示する表示駆動部と、前記１または複数の前記水平走査線の出力映像ごとに点灯及び消灯する前記バックライトを含み、前記表示駆動部から入力された映像を表示する表示部、とを備え、前記ＣＰＵから出力された前記映像切替信号によって、前記ＣＡＭ映像から前記ＲＥＴ映像に前記映像表示部の表示を切替える場合、または、前記ＣＡＭ映像から前記ＲＥＴ映像に前記映像表示部の表示を切替える場合には、前記映像切替信号が検知された時に、前記１または複数の前記水平走査線の出力映像ごとに、通常時の前記バックライトの輝度および点灯時間に対して、輝度を高くしかつ点灯時間を短くして前記バックライトを点灯するものである。
【発明の効果】
【００１５】
本発明によれば、表示映像切替操作時から表示映像の切替までの遅延を短くし定常表示時の表示映像の面フリッカの低減することができる。
【図面の簡単な説明】
【００１６】
【図１】本発明の一実施例の等速走査表示液晶と垂直分割バックライトの動作を模式的に示す図である。
【図２】本発明の一実施例の倍速走査表示液晶と垂直分割バックライトの動作を模式的に示す図である。
【図３】本発明の一実施例の可変速走査表示液晶と垂直分割バックライトの動作を模式的に示す図である。
【図４】本発明の一実施例のトライアックスカメラシステムの構成を示すブロック図である。
【図５】本発明の一実施例の映像切替部と映像表示部の構成の一実施例を示すブロック図である。
【図６】従来の飛び越し走査映像信号の倍速表示切替液晶と倍速バックライトの動作を説明するための模式図である。
【図７】本発明の一実施例の順次走査自己発光表示部の動作を模式的に示す図である。
【図８】本発明の一実施例の倍速順次走査自己発光表示部の動作を模式的に示す図である。
【図９】本発明の一実施例の完全同期映像同士の垂直周期途中の映像切替動作を模式的に示す図である。
【図１０Ａ】本発明の一実施例の等速走査若しくは倍速走査のバックライト点灯の動作を説明するためのフローチャートである。
【図１０Ｂ】本発明の一実施例の可変速走査のバックライト点灯の動作を説明するためのフローチャートである。
【図１１】本発明の一実施例の自己発光平面表示装置の等速走査若しくは倍速走査のバックライト点灯の動作を説明するためのフローチャートである。
【図１２】液晶ＴＶ受像機の略構成を示す図である。
【発明を実施するための形態】
【００１７】
まず、本発明の映像信号伝送方法、映像信号伝送装置、および映像信号伝送システム一実施例を、図４と図５によって説明する。図４は、本発明の一実施例のトライアックスカメラシステムの構成を示すブロック図である。２は撮像装置（カメラヘッド）、３は映像表示部、４は制御部（ＣＣＵ）、１５はトライアックスケーブル、２１は映像切替部である。撮像装置２において、１は図示していない入射光を結像するための光学系、５は光学系１で結像した光を光電変換する撮像部、６はデジタル映像信号を所定のレベルに増幅する事や輪郭強調等の処理を施す映像処理部、７はデジタル映像信号とデジタル音声信号とＣＰＵ８のＣＰＵデータとを時分割多重化して伝送する多重化部、８はＣＰＵ（ Central Processing Unit ）、９は同期発生部である。また、制御部４において、１０はデジタル映像信号とデジタル音声信号とＣＰＵ８のＣＰＵデータとを時分割多重化して伝送する多重部、１１はデジタル映像信号を所定のレベルに増幅する事や輪郭強調等の処理を施す映像処理部、１２は制御部３より出力する映像信号と制御部３に入力しカメラヘッドに伝送する外部映像信号の入出力を行う入出力部、１３はＣＰＵ、１４は同期発生部である。
【００１８】
撮像部５は、光電変換された映像信号をデジタル映像信号に変換するＡ／Ｄ変換部を含み、映像処理部６および１１は、映像の低遅延圧縮伸長を行う符号部復号部とメモリを含む。また映像処理部６および映像処理部１１は低遅延圧縮伸長部を含む。多重化部７と１９は、例えば、時分割多重部である。
また図５は、図４の映像切替部２１と映像表示部３の一実施例の構成を示すブロック図で、低遅延表示切替手段の詳細構成を示すブロック図である。２２はＦＰＤ駆動部、２３はＦＰＤ部、２４と２５はＬ倍速化部（Ｌ：自然数）、２６は信号切替部、２７は切替制御部、２８はバックライト駆動部、２９はバックライト部である。
なお、映像切替部２１は、撮像装置２の映像処理部６、または映像表示部３のＦＰＤ駆動部２２に含まれても良い。
また、ＦＰＤ部２２は、例えば、液晶（ Liquid Crystal Display ）で構成される。バックライト部２９は、例えば、ＬＥＤ、ＣＣＦＬ（ Cold Cathode Fluorescent Lamp ）、ＥＥＦＬ（ External Electrode Fluorescent Lamp ）等の蛍光放電管、若しくはＥＬ（ Electro - Luminescence Display ）の背面照明（バックライト）で構成される。
さらに、バックライト部２９がＬＥＤで構成される場合には、バックライト駆動部２８は、非特許文献１等に記載の輝度制御付きユニバーサル電流源ＩＣを用いれば良い。
【００１９】
図４のトライアックスカメラシステムにおいて、ＣＰＵ８は、撮像装置２内の各機器および映像切替部２１と相互にアクセスし合い、それらを定められた実行往路グラムに従って制御する。同様に、ＣＰＵ１３は、制御部４内の各機器と相互にアクセスし合い、それらを定められた実行往路グラムに従って制御する。また、同期発生部９は、撮像装置２内の各機器に同期信号を出力する。同様に、同期発生部１４は、映像信号入力に同期したタイミング信号を出力する。
【００２０】
図４のトライアックスカメラシステムは、上述したように、カメラヘッド（撮像装置）２、映像切替部２１、映像表示部３、トライアックスケーブル１５、および、カメラコントロールユニット（制御部）４で構成される。主送信側はカメラヘッド２であり、主受信側は制御部４である。
主送信側では、被写体像が光学系１を通って撮像部５に入射し結像する。撮像部５は、入射された被写体像を信号電荷に変換して映像処理部６に出力する。映像処理部６は、入力された信号電荷に所定の映像処理を施して、その映像信号を多重部７と映像切替部２１に出力する。多重部７は、入力された映像信号について、例えば、時分割多重して、時分割多重された映像信号を、トライアックスケーブル１５を介して、主受信側である制御部４に伝送する。
主受信側では、多重化部１０は、受信した時分割多重された映像信号を分離し、映像処理部１１に出力する。映像処理部１１は、多重部１０から入力された映像信号に所定の処理を施して、入出力部１２を介して、外部に出力（ＣＡＭ  ｏｕｔ）する。
なお、制御部４を操作するオペレータが、ＣＡＭ映像を、外部映像信号（ Return 信号 、等）を映像表示部３に表示するために、図示しない操作手段によって、入力切替操作をしない限り、映像処理部６からは、撮像部５から入力されたＣＡＭ映像が映像切替部２１に入力され続け、従って、映像表示部３には、ＣＡＭ映像が表示され続ける。
【００２１】
また、主受信側では、制御部４は、入出力部１２を介して外部からの映像信号（外部映像信号）を入力する（ＲＥＴ  ｉｎ）。入出力部１２は、入力されたＲＥＴ信号を制御部４内で使用する方式（例えば、ＨＤＴＶ方式）に変換して映像処理部１１に出力する。映像処理部１１は、入力された映像信号に所定の処理を施して多重部１０に出力する。多重部１０は、入力された映像信号について、例えば、時分割多重して、時分割多重された映像信号を、トライアックスケーブル１５を介して、主送信側である撮像装置２に伝送する。
主送信側では、多重化部７は、受信した時分割多重された映像信号を分離し、映像処理部６に出力する。
映像処理部６は、多重部７から入力された映像信号に所定の処理を施して、映像切替部２１に出力する。
【００２２】
さて、図示しない操作手段を用いて、オペレータ（カメラマン）は、映像表示部３に表示される画像を見ながら、撮像装置２と制御部４を、操作する。このとき、他の撮像装置が撮像した映像信号が図示しない伝送線を介して入出力部１２から入力される。また、主送信側の撮像装置２が撮像した映像信号も、入出力部１２から図示しない伝送線路を介して、他の撮像装置の制御部に出力される。
オペレータが、自撮像装置２が撮像した画像ではなく、他の撮像装置が撮像した画像を見たい場合には、図示しない操作手段を操作して、入力切替操作を行う。
ＣＰＵ８は、オペレータによる入力切替操作が行われたことを通知する信号が、トライアックスケーブル１５を介して主送信側に入力されたことを検知した場合には、映像切替部２１に入力切替信号を出力する。
【００２３】
図４、図５において、主送信側のカメラヘッド（撮像装置）２と主受信側の制御部（ＣＣＵ）４との双方に同期手段の同期発生部９、１４とを有し、主受信側に映像を順次走査表示する少なくとも垂直方向に分割されたバックライト２９を具備したＦＰＤ部２３を有し、各フィールドの水平走査線ごとに２回バックライト２９を点灯する。なお、水平走査線を垂直方向に１〜複数本の水平走査線ブロックに分割して、分割された水平走査線ブロック単位で、点灯および消灯のタイミングを制御する。
定常表示時は、主送信側のＣＡＭ映像、または主受信側の制御部４からカメラヘッド２に戻すＲＥＴ映像を順次走査表示する。しかし、表示映像切替操作時は、切替操作時直後のバックライト２９の輝度を高く、かつ点灯時間を短く設定する。そして、切替操作時以後には、各フィールド単位で映像表示部３の表示映像を切替え、表示映像切替後のフィールド映像と該フィールド映像の上下走査線補間（または、上の走査線複写）でかつ順次走査で切替表示する。また、表示切替した水平走査線部分のバックライトを、次の順次走査前までに２回点灯し、バックライトの点灯時間と消灯時間とを短い時間に区切って切り替えることによって、面フリッカの低減になる。なお、ＦＰＤ部２２は、例えば、液晶表示装置で構成される。
また、簡易的には、表示切替指示以降のバックライトの出力輝度値を一定にし、バックライトの点灯時間を短くしても良い。
【００２４】
つまり、本発明の映像表示方法、映像信号伝送装置、および映像信号伝送システムにおいて、映像表示部に表示されるＣＡＭ映像とＲＥＴ映像との表示を切り替える場合に、液晶表示部２の切替遅延を垂直同期周期よりも十分短くし、時分割多重伝送でも生放送で運用できるトライアックスカメラシステムを提供することができる。
【００２５】
図１２は、ＣＣＦＬを用いたバックライト部を有する液晶表示部を説明する。図１２は、液晶ＴＶ受像機の略構成を示す図である。１０１はＣＣＦＬ、１２０は液晶パネル、２１１は液晶ドライバユニット、２１２は電源ユニット、２２０はベゼル、２３０はＣＣＦＬ１０１を含むバックライト部を背面から覆うための背面カバーである。図１２における、前面は、ＴＶを観賞する視聴者が居る方向、背面は視聴者が見えない裏側、上は天井方向、下は床方向、左は視聴者から見て左方向、右は視聴者から見て右方向を示す。
図１２に示すように、バックライト部の照明光源であるＣＣＦＬは、長手方向が左右に水平になるように実装され、そのように実装されたＣＣＦＬが複数本垂直方向に配置される。水平走査線の数に対して、配置できるＣＣＦＬの数は限られるので、通常、１本のＣＣＦＬで、複数本の水平走査線分の映像データを照明するように構成される。他の照明ＬＥＤ、他の蛍光放電管、ＥＬでも同様である。また、サイドエッジ型に配置されたＬＥＤの場合でも、バックライトは、１〜数水平走査線に対応するＬＥＤ群に対して、複数の水平走査線を照明するように構成および制御される。
例えば、図１２において、画面上から２本のＣＣＦＬ１０１−１、２本の１０１−２、３本の１０１−３、２本の１０１−４、および２本の１０１−５それぞれの点灯および消灯する時刻をずらす。具体的なパルス波形は、後述する図１（ｃ）、図２（ｄ）、図３（ｃ）、図７（ｂ）、図８（ｂ）または図９（ｃ）による。
【００２６】
以上、本発明を実施例によって詳細に説明した。しかし、本発明は、上述の実施例に限定されるわけではなく、本発明が属する技術分野において、通常の知識を有する者であれば、本発明の思想と精神に基づいて、本発明を修正若しくは変更できる発明が含まれることは勿論である。
また。本書では、既に説明した図を含め、以降の各図の説明において、共通な機能を有する構成要素には同一の参照番号を付し、説明をできるだけ省略する。
【実施例１】
【００２７】
本発明の一実施例を図１、図４、および図５を参照して説明する。図１は、本発明の一実施例の等速走査表示液晶と垂直分割バックライトの動作を示す模式図である。図１（ａ）は入力走査線、図１（ｂ）は表示切替走査線、図１（ｃ）はバックライトの点灯パルスである。図１（ａ）〜（ｃ）それぞれにおいて、画面の上（画面上）と画面の下（画面下）は１つの水平走査線を示し、Ｎは、フィールド番号を示す（Ｎ：自然数）。また、画面上の水平走査線と画面下の走査線の間の数は、ＳＤＴＶ、ＮＴＳＣ等のＴＶ方式によって異なり、かつすべての水平走査線が表示できないほど数が多いので、省略して描いている。なお、横軸は、図１（ａ）〜（ｃ）において、共通の時間軸である。また、実線の四角は入力切替前の映像データに関し、破線の四角は入力切替後の映像データに関する。
図１において、映像切替部２１には、ＣＡＭ映像の２Ｎ＋１番目のフィールドの映像データが水平走査線ごとに上から順番に入力されている（図１（ａ）左側入力走査線：時刻ｔ１０）。またこの時から１水平ライン後（時刻ｔ１１）には、映像切替部２１は、映像表示部３に、その前に入力された２Ｎ−１番目の映像データを奇数フィールドとして、および、２Ｎ番目の映像データを偶数フィールドとして、上から下に順に出力している（図１（ｂ）左側表示切替走査線：時刻ｔ１１）。
ただし、２Ｎ−１番目のフィールドと次に表示される２Ｎ番目のフィールドの間に動きが有る場合には、前の（水平走査線上で上方にある）２Ｎ番目のフィールドの画像がコピーされて出力される。即ち、奇数フィールドと次に表示される偶数フィールド（あるいは、偶数フィールドと次に表示される奇数フィールド）の間に動きが有る場合には、前の（水平走査線上で上方にある）２Ｎ番目のフィールドの画像がコピーされて出力される。
即ち、映像切替部２１は、２Ｎ＋１番目のフィールドの第１本目（画面上）の水平ライン分が入力された時（時刻ｔ１１）に奇数フィールドとして、入力された２Ｎ＋１番目のフィールドの１水平ライン分の映像データを、偶数フィールドとして２Ｎ番目のフィールドの１水平ライン分の映像データを順番に出力する。以下、次の１水平ライン分の映像データが入力された後、その（２Ｎ＋１番目のフィールドの）１水平ライン分の映像データと２Ｎ番目のフィールドの１水平ライン分の映像データを上から下に順番に出力する。
【００２８】
図１の動作のように、２Ｎ＋１の奇数フィールドのＣＡＭ映像が入力されている間の時刻ｔ１０〜ｔ１６の間（例えば、時刻ｔ１３）に表示切替操作（入力切替操作）があった場合、２Ｎ＋１番目の奇数フィールドは主送信側のＣＡＭ映像の倍速化映像を表示切替し、表示切替した走査線のバックライトを点灯し、表示切替指示以降のバックライトの輝度を通常時の輝度および点灯時間のパルスｂ１０（あるいは、ｂ１０’）より、高い輝度で点灯時間が短いパルスｂ１３（あるいは、ｂ１５、ｂ１９、ｂ１９’）とする。この結果、目視残像を低減する。また、図１の実施例では、通常時のバックライトの点灯が始まっている場合（パルスｂ１１）には、表示切替操作（時刻ｔ１３）に応じて、輝度を変更する（パルスｂ１３）。
ＣＡＭ映像から、ＲＥＴ映像（主受信側に入力され主送信側に伝送されたＲＥＴ映像）への、映像切替部２１に入力される映像データの切替えは、２Ｎ＋２番目の偶数フィールドの先頭（画面上の１本目の）映像データから（即ち、時刻ｔ１６、２Ｎ＋１番目のすべての映像データの入力終了と共に）開始される。この入力されたＲＥＴ映像は、１水平ライン入力後（例えば、時刻ｔ１８）から、倍速化映像で、映像表示部３に順番に出力開始され、画面上から画面下まで、順番にバックライトが点灯を開始する（時刻ｔ１９およびパルスｂ１９、パルスｂ１９’）。そして、所定時間経過後、画面上から画面下まで、順番にバックライトの点灯が停止する（時刻ｔ１５’、時刻ｔ１６’）。具体的には、図１２のＣＣＦＬ１０１−１〜１０１−５単位で点灯および消灯する。
画面上のバックライトが点灯しないときに表示切替操作（入力切替操作）があった場合、次のバックライト点灯から、バックライトの高輝度化と発光時間の短縮とが適用される。
【００２９】
なお、映像切替部２１の動作は、例えば、図１０Ａのように、ソフトウエアでも可能である。
図１０Ａは、本発明の一実施例の等速走査若しくは倍速走査のバックライト点灯の動作を説明するためのフローチャートである。図１０Ａの制御は、ＣＰＵ８から制御された映像切替部２１が実行する。
動作開始後、ステップＳ３３では、入力切替操作が実行されたか否かを検知する。入力切替操作が検知されない場合には、ステップＳ３７に進み、入力切替操作が検知された場合には、ステップＳ３４に進む。
ステップＳ３４では、対象となる走査線が切替ったバックライトの輝度を常時の輝度より高くかつ点灯時間を短くして点灯する。
ステップＳ３５では、入力映像が垂直帰線期間になったか否かを検出する。垂直帰線期間になっていない場合には、再度ステップＳ３５を実行し、垂直帰線期間になっていた場合には、ステップＳ３６に進む。
ステップＳ３６では、入力映像を切替る。
ステップＳ３７では、対象となる走査線が切替ったバックライトを通常輝度及び通常点灯時間で点灯する。
【００３０】
上述の図１、図４、および図５、ならびに図１０Ａの飛び越し走査映像信号を双方向に伝送する映像信号伝送システムにおいては、主送信側のカメラヘド２と主受信側の制御部４との双方に、同期手段の同期発生部９と１４とを有する。また、主送信側の映像表示部３は、少なくとも垂直方向に分割された、バックライト２９を具備したＦＰＤ部２３を有し、好ましくは、ＦＰＤ部２２は、液晶表示装置で構成される。
液晶表示装置で構成されたＦＰＤ部２２を有する映像表示部３は、ＦＰＤ駆動部２２のバックライト駆動部２８によって、フィールドごとに２回、バックライト２９を点灯する。
即ち、図４と図５の実施例において、映像表示部３は、定常表示時には、主送信側のカメラヘッド２が撮像したＣＡＭ映像（主送信側の映像）、または主受信側の制御部４からカメラヘッド２に戻すＲＥＴ映像のいずれかを等速順次走査表示する。そして、映像表示部３は、表示映像切替操作時は、切替操作時後のバックライトの輝度を高くしてかつ点灯時間を短くし、切替操作時後の各フィールドの１または複数の水平走査線単位で液晶表示映像を切り替える。表示映像切替後のフィールド映像を等速順次走査で出力し、表示切替後のフィールド映像の当該出力された水平走査線部分のバックライトを次の等速順次走査前までに２回点灯する。
【実施例２】
【００３１】
実施例２の場合には、映像をＮ＋１（Ｎは自然数）倍速順次走査表示する映像表示部を有し、定常表示時には、主送信側の映像（ＣＡＭ映像）または主受信側映像をＮ＋１倍速順次走査表示し、表示映像切替操作時は上記液晶表示部が間欠順次走査表示する。
以下、本発明の一実施例を、図２、図４および図５を参照して説明する。図２は、本発明の一実施例の倍速走査表示液晶と垂直分割バックライトの動作を示す模式図である。なお、実施例１と同様の動作の説明は省略する。
図２は、本発明の一実施例の等速走査表示液晶と垂直分割バックライトの動作を示す模式図である。図２（ａ）はＣＡＭ映像の入力走査線、（ｂ）はＲＥＴ映像の入力走査線、（ｃ）は表示切替走査線、（ｄ）はバックライトの点灯パルスである。図２（ａ）〜（ｄ）それぞれにおいて、画面の上（画面上）と画面の下（画面下）は１つの水平走査線を示し、Ｎは、フィールド番号を示す（Ｎ：自然数）。また、画面上の水平走査線と画面下の走査線の間の数は、ＳＤＴＶ、ＮＴＳＣ等のＴＶ方式によって異なり、かつすべての水平走査線が表示できないほど数が多いので、省略して描いている。なお、横軸は、図２（ａ）〜（ｄ）において、共通の時間軸である。また、実線の四角は入力切替前の映像データに関し、破線の四角は入力切替後の映像データに関する。
【００３２】
映像切替部２１は、図２（ａ）では、時刻ｔ２０〜時刻ｔ２６には、ＣＡＭ映像の２Ｎ＋１番目のフィールドの映像データが画面上から画面下まで、順番に入力される。また、時刻ｔ２６〜時刻ｔ２０’には、ＣＡＭ映像の２Ｎ＋２番目のフィールドの映像データが画面上から画面下まで、順番に入力される。またさらに、また、時刻ｔ２０’〜時刻ｔ２４’には、ＣＡＭ映像の２Ｎ＋３番目のフィールドの映像データが画面上から画面下まで、順番に入力される。
同様に、映像切替部２１は、図２（ｂ）では、時刻ｔ２０〜時刻ｔ２６には、ＲＥＴ映像の２Ｎ＋１番目のフィールドの映像データが画面上から画面下まで、順番に入力される。また、時刻ｔ２６〜時刻ｔ２０’には、ＲＥＴ映像の２Ｎ＋２番目のフィールドの映像データが画面上から画面下まで、順番に入力される。またさらに、また、時刻ｔ２０’〜時刻ｔ２４’には、ＲＥＴ映像の２Ｎ＋３番目のフィールドの映像データが画面上から画面下まで、順番に入力される。
【００３３】
また映像切替部２１は、時刻ｔ２０以前に、図２（ａ）では、ＣＡＭ映像の２Ｎ番目までのすべてのフィールドの映像データの入力が終了し、さらに２Ｎ＋１番目のフィールドの映像データの入力が、時刻ｔ２１までに出力を終了する。
同様に、図２（ｂ）では、時刻ｔ２１〜時刻ｔ２３までに、ＲＥＴ映像の２Ｎ＋１番目の映像データが上半分で、２Ｎ−１番目の映像データが下半分に入力され、２Ｎ番目までのすべてのフィールドの映像データの入力が終了する。
そこで、図２（ｃ）では、時刻ｔ２１までには、すでに入力が終了した２Ｎ−１番目のフィールドの映像データの１水平走査線分の映像データと２Ｎ番目のフィールドのＣＡＭ映像データが、倍速で出力される。以後、ＲＥＴ映像では、入力が終了した２Ｎ＋１番目のフィールドの上半分（画像上から画面の中央まで：有効画素の水平走査線の数がｍ本の場合には、奇数フィールドの１番目から２ｋ＋１番目の水平走査線の映像データ（ｋ＝０〜ｊ−１、ｍ／４＝ｊ）、ｊ、ｋおよびｍは自然数）の映像データの１水平走査線分の映像データと２Ｎ番目のフィールドの映像データ（画像上から画面の中央まで：有効画素の水平走査線の数がｍ本の場合には、奇数フィールドの２番目から２ｋ番目の水平走査線の映像データ（ｋ＝１〜ｊ））とが、倍速で出力される。次に、２Ｎ＋１番目の下半分の水平走査線の映像データは入力されていないので、２Ｎ−１番目の下半分（画像中央から画面下まで：有効画素の水平走査線の数がｍ本の場合には、奇数フィールドの２ｋ＋１番目から２ｍ−１番目の水平走査線の映像データ）と２Ｎ番目の下半分（画像中央から画面下まで：有効画素の水平走査線の数がｍ本の場合には、偶数フィールドの２ｋ番目から２ｍ番目の水平走査線の映像データ（ｋ＝１〜ｊ））フィールドの映像データとが倍速で出力される。以上のように、時刻ｔ２１〜時刻ｔ２３まで、１フレーム分の画像が出力される。
次に、映像切替部２１は、図２（ｃ）において、時刻ｔ２３〜時刻ｔ２７においては、ＣＡＭ映像の映像データの２Ｎ＋１番目と２Ｎ番目のフィールドの映像データの出力が終了する。
【００３４】
時刻ｔ２１〜時刻ｔ２７と同様に、時刻ｔ２７〜時刻ｔ２９では、ＲＥＴ映像が奇数フィールドでは、２Ｎ＋１番目の映像データが各水平走査線ごとに出力され、偶数フィールドでは、２Ｎ＋２番目の映像データが上半分、２Ｎ番目の映像データが下半分で出力される。次に、時刻ｔ２９〜時刻ｔ２１’では、ＣＡＭ映像の映像データの２Ｎ＋１番目と２Ｎ＋２番目のフィールドの映像データの出力が終了する。
さらに、時刻ｔ２１〜時刻ｔ２７、および、時刻ｔ２７〜時刻ｔ２４’と同様に、時刻ｔ２９〜時刻ｔ２３’では、ＲＥＴ映像が奇数フィールドでは、２Ｎ＋３番目の映像データが上半分、２Ｎ＋１番目の映像データが下半分に各水平走査線ごとに出力され、偶数フィールドでは、２Ｎ＋２番目の映像データが出力される。次に、時刻ｔ２３’〜時刻ｔ２４’以降では、ＣＡＭ映像の映像データの２Ｎ＋１番目と２Ｎ＋２番目のフィールドの映像データの出力が終了する。
ただし、奇数フィールドと次に表示される偶数フィールド（あるいは、偶数フィールドと次に表示される奇数フィールド）の間に動きが有る場合には、前の（水平走査線上で上方にある）２Ｎ番目のフィールドの画像がコピーされて出力される。
【００３５】
図２の動作のように、映像切替部２１は、通常表示時は、各水平走査線を複数本ごとに分割して、対応するバックライトを制御する。即ち、映像切替部２１は、画面上から画面下に順番に、バックライトを点灯および消灯するように制御する。
そして、バックライトを、ＣＡＭ映像の出力後点灯し、ＲＥＴ映像の出力前に消灯させる。若しくは、通常表示時は、１フィールドの上半分の主送信側のＣＡＭ映像の書替後にバックライトを点灯し、１フィールドの下半分の主送信側のＲＥＴ映像の書替前にフィールド下半分の表示映像を黒とする。
【００３６】
図２の動作において、２Ｎ＋１の奇数フィールドの映像が入力されている間の時刻ｔ２０〜ｔ２６の間（例えば、時刻ｔ２５）に表示切替操作（入力切替操作）があった場合に、すぐに、分割された複数のバックライトごとに、画面上から画面下まで順番に、バックライトを点灯し、表示切替指示以降のバックライトの輝度を通常時の輝度および点灯時間のパルスｂ２０（あるいは、ｂ２０’）より高い輝度および短時間のパルスｂ２５で点灯および消灯し、目視残像を低減する。また図２の実施例では、通常時のバックライトの点灯が始まっている場合（パルスｂ２１）には、表示切替操作（時刻ｔ２５）に応じて、輝度を変更する（パルスｂ２５）。
その後、バックライトをＲＥＴ映像の出力後点灯し、ＣＡＭ映像の出力前に消灯させる。若しくは、通常表示時は、１フィールドの上半分の主送信側のＲＥＴ映像の書替後にバックライトを点灯し、１フィールドの下半分の主送信側のＣＡＭ映像の書替前にフィールド下半分の表示映像を黒とする。
具体的には、図１２のＣＣＦＬ１０１−１〜１０１−５単位で点灯および消灯する。
なお、映像切替部２１の動作は、例えば、上述した図１０Ａで説明したように、ソフトウエアでも可能である。
【００３７】
また好ましくは、図２のように、通常表示時はフィールド前半の主送信側のＣＡＭ映像書替後にバックライトを点灯し、フィールド後半の主受信側のＲＥＴ映像書替前にバックライトを消灯するかフィールド後半の表示映像を黒としてフィールド前半に送信側映像を表示し、主受信側に入力されたＲＥＴ映像を表示切替操作時はフィールド前半の主送信側のＣＡＭ映像書替前にバックライトを消灯するかフィールド前半の表示映像を黒としてフィールド後半のＲＥＴ映像書替後にバックライトを点灯しても良い。
さらに好ましくは、表示切替操作時後のバックライトの輝度を高め、バックライトの点灯時間を短くし目視残像を低減しても良い。
つまり、従来の輝度優先の倍速表示の残像低減の動作を示す模式図の図６において、倍速表示だけでは残像感が残るので、１／４程度の黒映像を挿入して残像を低減していたのに対し、バックライトを点灯時間を切り替えれば良い。
また、輝度変動が目立たないように、奇数フィールドのバックライトを点灯し偶数フィールドのバックライトを消灯する動作を切り替え、切替直前のフィールドと切替最初のフィールドとの輝度を下げれば良い。
【実施例３】
【００３８】
実施例３の場合には、入力切替操作後に、ＬＥＤ等のバックライトの輝度を高くし、輝度を高くした分時間を短くすることで遅延を吸収し、入力切替フィールド映像のみ表示し、分割されたバックライト分の水平走査線（ｄＨ）分遅延する（ｄは自然数、Ｈは水平走査線期間）。実施例３は、好ましくは、５０［Ｈｚ］で使用する。
本発明の実施例３を、図３、図４、および図５を用いて説明する。図３は、本発明の一実施例の可変速走査表示液晶と垂直分割バックライトの動作を模式的に示す図である。図３（ａ）は入力走査線、図３（ｂ）は表示切替走査線、図３（ｃ）はバックライトの点灯パルスである。
図３（ａ）〜（ｃ）それぞれにおいて、画面の上（画面上）と画面の下（画面下）は１つの水平走査線を示し、Ｎは、フィールド番号を示す（Ｎ：自然数）。また、画面上の水平走査線と画面下の走査線の間の数は、ＳＤＴＶ、ＮＴＳＣ等のＴＶ方式によって異なり、かつすべての水平走査線が表示できないほど数が多いので、省略して描いている。なお、横軸は、図３（ａ）〜（ｃ）において、共通の時間軸である。また、実線の四角は入力切替前の映像データに関し、破線の四角は入力切替後の映像データに関する。
また、実施例１や実施例２と同様の動作の説明は省略する。
【００３９】
図３において、図１の動作のように、２Ｎ＋１の奇数フィールド入力時に表示切替指示があった場合には、奇数フィールドは主送信側のＣＡＭ映像を表示切替する。さらに、奇数フィールドでは、表示切替した走査線のバックライトを点灯し、表示切替指示以降のバックライトの輝度を高くし点灯時間を短くする。この時、偶数フィールドでは、バックライトを消灯するか、表示映像を黒とする。
即ち、図３において、２Ｎ＋１の奇数フィールドのＣＡＭ映像が入力されている間の時刻ｔ３０〜ｔ３０’の間（例えば、時刻ｔ３３）に表示切替操作（入力切替操作）があった場合、２Ｎ＋１番目の奇数フィールドは主送信側のＣＡＭ映像の倍速化映像を表示切替し、表示切替した走査線のバックライトを点灯し、表示切替指示以降のバックライトの輝度を通常時の輝度および点灯時間のパルスｂ３０より、高い輝度で点灯時間が短いパルスｂ３０’とする。また、偶数フィールドの出力後には、バックライトを消灯するか、表示映像を黒とする。この結果、目視残像を低減する。図３の実施例では、通常時のバックライトの点灯が始まっている場合（パルスｂ３１）には、表示切替操作（時刻ｔ３０’）に応じて、輝度を変更する（パルスｂ３０’）。
【００４０】
なお、映像切替部２１の動作は、例えば、図１０Ｂで示すように、ソフトウエアでも可能である。図１０Ｂは、本発明の一実施例の可変速走査のバックライト点灯の動作を説明するためのフローチャートである。図１０Ｂの制御は、ＣＰＵ８から制御された映像切替部２１が実行する。
動作開始後、ステップＳ４１では、入力切替操作が実行されたか否かを検知する。入力切替操作が検知されない場合には、ステップＳ４８に進み、入力切替操作が検知された場合には、ステップＳ４２に進む。
ステップＳ４２では、対象となる走査線が切替ったバックライトの輝度を常時の輝度より高くかつ点灯時間を短くして点灯する。
ステップＳ４３では、入力映像が垂直帰線期間になったか否かを検出する。垂直帰線期間になっていない場合には、再度ステップＳ４３を実行し、垂直帰線期間になっていた場合には、ステップＳ４４に進む。
ステップＳ４４では、入力映像を切替る。
ステップＳ４５では、液晶表示部の表示切替え走査を飛び越し走査に設定する。
ステップＳ４６では、入力映像が垂直帰線期間になったか否かを検出する。垂直帰線期間になっていない場合には、再度ステップＳ４６を実行し、垂直帰線期間になっていた場合には、ステップＳ４７に進む。
ステップＳ４７では、液晶表示部の表示切替え走査を順次走査に設定する。
ステップＳ４８では、対象となる走査線が切替ったバックライトを通常輝度及び通常点灯時間で点灯する。
【００４１】
なお、主受信側に入力された映像を、選択表示時は、偶数フィールドに受信側に入力され主受信側から主送信側に送り返す映像を表示し、偶数フィールドに受信側に入力され主受信側から主送信側に送り返す映像を表示まではバックライトを消灯し、偶数フィールドに受信側に入力され主受信側から主送信側に送り返す映像を表示するドのバックライトを点灯し、以下は奇数フィールドのバックライトを消灯し偶数フィールドのバックライトを点灯するとしても良い。切替直前のフィールドと切替最初のフィールドとの輝度を下げても良い。
つまり、バックライトの点灯時間と消灯時間とを短い時間に区切って切り替えれば良い。
【実施例４】
【００４２】
本発明の実施例４を、図７、図８、図４、及び図５を用いて説明する。図７は、本発明の一実施例の順次走査自己発光表示部の動作を模式的に示す図である。また、図８は、本発明の一実施例の倍速順次走査自己発光表示部の動作を模式的に示す図である。実施例４は、図５において、ＦＰＤ部２２は映像を順次走査表示する自己発光表示部のＥＬ（ Electro Luminescence ）表示装置であり、ＦＰＤ駆動部２３はＥＬ駆動部であり、ＦＰＤ部２３におけるバックライト部２９及びＦＰＤ駆動部２２におけるバックライト駆動部２８とは、不要である。
また図８では、平面映像表示部３は、点灯時間で点滅し常時順次走査表示する。
図７（ａ）及び図８（ａ）は入力走査線、図７（ｂ）及び図８（ｂ）はバックライトの点灯パルスである。
図７（ａ）〜（ｃ）、図８（ａ）〜（ｃ）、それぞれにおいて、画面の上（画面上）と画面の下（画面下）は１つの水平走査線を示し、Ｎは、フィールド番号を示す（Ｎ：自然数）。また、画面上の水平走査線と画面下の走査線の間の数は、ＳＤＴＶ、ＮＴＳＣ等のＴＶ方式によって異なり、かつすべての水平走査線が表示できないほど数が多いので、省略して描いている。なお、横軸は、図７（ａ）〜（ｃ）、図８（ａ）〜（ｃ）において、共通の時間軸である。また、実線の四角は入力切替前の映像データに関し、破線の四角は入力切替後の映像データに関する。
また、実施例１〜実施例３と同様の動作の説明は省略する。
【００４３】
図７、図４、および図５において、表示映像切替操作時は、通常時の輝度および点灯時間（パルスｂ７０、ｂ７５）より、切替操作時後、時刻ｔ７２よりバックライト輝度を高くして点灯時間を短くする（パルスｂ７２、７５）。また図７の実施例では、通常時のバックライトの点灯が始まっている場合（パルスｂ７１）には、表示切替操作（時刻ｔ７２）に応じて、輝度を変更する（パルスｂ７２）。
このとき、表示映像切替操作があった時に、各フィールドの水平走査線単位で表示映像を切替える。そして、表示映像切替後のフィールド映像と該フィールド映像の上下走査線補間または上の走査線複写で順次走査で切替表示し、表示切替した水平走査線部分のバックライトを次の順次走査前までに２回点灯し、バックライトの点灯時間と消灯時間とを短い時間に区切って切り替えれば面フリッカの低減になる。なお、図７の実施例は、上の走査線複写（コピー）である。
また、簡易には表示切替指示以降のバックライト輝度を一定にしてバックライトの点灯時間を短くしても良い。
【００４４】
図８、図４、および図５において、表示映像切替操作時は、通常時の輝度および点灯時間（パルスｂ８０、ｂ８６）より、切替操作時後、時刻ｔ８３２よりバックライト輝度を高くして点灯時間を短くする（パルスｂ８３）。また図８の実施例では、通常時のバックライトの点灯が始まっている場合（パルスｂ８１）には、表示切替操作（時刻ｔ８３）に応じて、輝度を変更する（パルスｂ８２）。
このとき、表示映像切替操作があった時に、各フィールドの水平走査線単位で表示映像を切替える。そして、表示映像切替後のフィールド映像と該フィールド映像の上下走査線補間または上の走査線複写で順次走査で切替表示し、表示切替した水平走査線部分のバックライトを次の順次走査前までに２回点灯し、バックライトの点灯時間と消灯時間とを短い時間に区切って切り替えれば面フリッカの低減になる。なお、図７の実施例は、上の走査線複写（コピー）である。
また、簡易には表示切替指示以降のバックライト輝度を一定にしてバックライトの点灯時間を短くしても良い。
【００４５】
なお、上記映像切替部２１の動作は、例えば、図１１で示すように、ソフトウエアでも可能である。図１１は、本発明の一実施例の自己発光平面表示装置の等速走査若しくは倍速走査のバックライト点灯の動作を説明するためのフローチャートである。
動作開始後、ステップＳ３３では、入力切替操作が実行されたか否かを検知する。入力切替操作が検知されない場合には、ステップＳ３９に進み、入力切替操作が検知された場合には、ステップＳ３８に進む。
ステップＳ３８では、対象となる走査線が切替ったバックライトの輝度を常時の輝度より高くかつ点灯時間を短くして点灯する。
ステップＳ３５では、入力映像が垂直帰線期間になったか否かを検出する。垂直帰線期間になっていない場合には、再度ステップＳ３５を実行し、垂直帰線期間になっていた場合には、ステップＳ３６に進む。
ステップＳ３６では、入力映像を切替る。
ステップＳ３９では、映像が切替る画素の自己発光を通常輝度及び通常点灯時間で点灯する。
【実施例５】
【００４６】
本発明の実施例４を、図９、図４、および図５を用いて説明する。図９は、本発明の一実施例の完全同期映像同士の垂直周期途中の映像切替動作を模式的に示す図である。
本発明の一実施例は、主送信側の映像表示部に入力する主送信側のＣＡＭ映像と主受信側に入力されたＲＥＴ映像が、水平周期および垂直周期共に完全に同期している場合には、１画面の表示途中からであっても、ＣＡＭ映像とＲＥＴ映像を切り替える。この時、通常時の輝度および点灯時間のパルスｂ９０（あるいは、ｂ９０’、ｂ９９’）より、高い輝度で点灯時間が短いパルスｂ９６（あるいは、ｂ９４〜ｂ９６、ｂ９９）とする。また図９の実施例では、通常時のバックライトの点灯が始まっている場合（パルスｂ９１）には、表示切替操作（時刻ｔ９３）に応じて、輝度を変更する（パルスｂ９３）。
表示切替操作時後のバックライトの輝度を高め、バックライトの点灯時間を短くし目視残像を低減しても良い。
【００４７】
また、図９、図４、および図５による本発明の別の実施例は、主送信側の映像表示部に入力する主送信側のＣＡＭ映像と主受信側に入力されたＲＥＴ映像が、水平周期および垂直周期共に、フレームシンクロナイザで完全に同期している映像に同期再生されている場合には、１画面の表示途中からであっても、ＣＡＭ映像とＲＥＴ映像を切り替える。この時、通常時の輝度および点灯時間のパルスｂ９０（あるいは、ｂ９０’、ｂ９９’）より、高い輝度で点灯時間が短いパルスｂ９６（あるいは、ｂ９４〜ｂ９６、ｂ９９）とする。また図９の実施例では、通常時のバックライトの点灯が始まっている場合（パルスｂ９１）には、表示切替操作（時刻ｔ９３）に応じて、輝度を変更する（パルスｂ９３）。
表示切替操作時後のバックライトの輝度を高め、バックライトの点灯時間を短くし目視残像を低減しても良い。
【００４８】
実施例５は、表示切替操作後の完全同期でＣＡＭ映像とＲＥＴ映像を切替える際に、輝度を高くして点灯時間を短くすることで消灯時間を長くし、入力切替フィールド映像のみ表示し、１または複数の分割されたバックライト分の水平走査線（ｄＨ）分遅延する（ｄは自然数、Ｈは水平走査線期間）。実施例５は、好ましくは、５０［Ｈｚ］で使用する。
入力切替操作から表示切替までの遅延時間（ｄ＋１）Ｈで、消灯期間を長くし、目視残像が低減する。この結果、位相はずれるが、倍速点灯と平均輝度維持することができる。
実施例５の動作は、図４の入出力部１２にフレームシンクロナイザを備えて実現する。即ち図４の飛び越し走査映像信号を双方向に伝送するシステムにおいて、主送信側と主受信側との双方に同期手段とフレームシンクロナイザとを有し、主送信側のＣＡＭ映像と主受信側のＲＥＴ映像とを完全に同期させるものである。
その結果、主送信側の映像表示部に入力する主送信側映像と、主受信側映像とが水平周期も垂直周期も完全に同期する、従って、通常時の送信側映像を表示している時は、主送信側映像を表示して、表示映像切替操作時には、切替操作時後の液晶表示映像を切替え、表示映像切替後のフィールド映像と該フィールド映像の上下走査線補間または上の走査線複写で表示し、切替操作時後のバックライト輝度を高くしバックライト点灯時間を短くし、表示切替した水平走査線部分のバックライトを次の順次走査前までに２回点灯するものである。
【００４９】
上述の実施例１〜５において、表示切替操作後のバックライトの輝度を高くし点灯時間を短くすることによって、次の消灯時間を長くし、次のバックライトの点灯時には、入力切替した後のフィールドの映像を迅速に表示できるようにするものである。
好ましくは、上記実施例１は、バックライトの点灯と消灯を、画面上から画面下まで配置されたバックライトを構成する１若しくは複数水平走査線単位で制御するものである。
また好ましくは、上述の実施例１〜３および実施例５は、１水平走査線ごとに映像切替部に入力されたフィールドごとの映像データを、次の水平走査線期間の入力開始と共に出力開始する。さらに、次の水平走査線期間の出力開始と共に、バックライトの点灯を開始する。この結果、ＣＡＭ映像やＲＥＴ映像にかかわらず、映像入力後、迅速に、映像表示部に表示可能となる。
また好ましくは、上述の実施例４は、１水平走査線ごとに映像切替部に入力されたフィールドごとの映像データを、次の水平走査線期間の入力開始と共にバックライトの点灯を開始する。この結果、ＣＡＭ映像やＲＥＴ映像にかかわらず、映像入力後、迅速に、映像表示部に表示可能となる。
【符号の説明】
【００５０】
１：光学系、  ２：撮像装置（カメラヘッド）、  ３、：映像表示部、  ４：制御部（ＣＣＵ）、５：撮像部、  ６、１１：映像処理部、  ７、１０：多重部、  ８、１３：ＣＰＵ、  ９、１４：同期発生部、  １２：入出力部、  １５：トライアックスケーブル、  ２１：映像切替部、  ２２：ＦＰＤ駆動部、  ２３：ＦＰＤ部、  ２４、２５：Ｌ倍速化部、  ２６：信号切替部、  ２７：切替制御部、  ２８：バックライト駆動部、  ２９：バックライト部、  １０１：ＣＣＦＬ、  １２０：液晶パネル、  ２１１：液晶ドライバユニット、  ２１２：電源ユニット、  ２２０：ベゼル、  ２３０：背面カバー。
【図１】
2011203628.tif 000003
【図２】
2011203628.tif 000004
【図３】
2011203628.tif 000005
【図４】
2011203628.tif 000006
【図５】
2011203628.tif 000007
【図６】
2011203628.tif 000008
【図７】
2011203628.tif 000009
【図８】
2011203628.tif 000010
【図９】
2011203628.tif 000011
【図１０Ａ】
2011203628.tif 000012
【図１０Ｂ】
2011203628.tif 000013
【図１１】
2011203628.tif 000014
【図１２】
2011203628.tif 000015